(57)【要約】      （修正有）【課題】人々にリラックスしたと感じさせ、医学的治療に好適でもあるヘルスケア用の健康ガスを生成するガス発生健康機器を提供する。【解決手段】ガス混合システム２００は、混合ガス１０８を受容するためのライン２０２等を介して、電気分解デバイスに接続されている。ガス混合システム２００は、水タンク又は純水タンク等の加湿装置２０４を備え、そこでは、混合ガス１０８が水又は純水２０６に導入され、混合ガス１０８がろ過されて、ろ過ガス２０８が生成される。加湿装置２０４は、混合された混合ガス１０８中に水素及び酸素を残存させつつ、塩素等の、電気分解中に生成されるガス不純物を除去するために使用される。この加湿装置２０４を使用すると、加湿装置２０４中の水の助けを借りて、混合ガス１０８の温度を低下又は冷却することができる。【選択図】図２
0003193761.tif 000002
【実用新案登録請求の範囲】
【請求項１】
水を電気分解して、水素及び酸素を含む混合ガスを生成するための電気分解デバイスと、
前記混合ガスを受容し、前記混合ガスを、霧化医薬液体、揮発性精油、及びそれらの組み合せからなる群から選択される霧化ガスと混合して健康ガスを生成するための、前記電気分解デバイスに接続されているガス混合システムと、を備える、
ガス発生健康機器。
【請求項２】
前記ガス混合システムが、前記混合ガスを受容してろ過ガスを生成するための、前記電気分解デバイスに接続されている加湿装置と、前記ろ過ガスを受容するための、前記加湿装置に接続されている霧化／揮発性ガス混合タンクと、を備え、前記霧化／揮発性ガス混合タンクが、前記霧化ガスを生成し、前記霧化ガス及び前記ろ過ガスを混合することにより前記健康ガスを生成する、請求項１に記載のガス発生健康機器。
【請求項３】
前記加湿装置と前記霧化／揮発性ガス混合タンクとの間に接続されている変換バルブを更に備え、前記変換バルブが、前記加湿装置を前記霧化／揮発性ガス混合タンクと選択的に接続して、前記霧化ガス及び前記ろ過ガスを混合させて前記健康ガスを生成するように構成されており、前記加湿装置を前記霧化／揮発性ガス混合タンクと選択的に接続遮断して、前記ろ過ガスが使用者の吸入用に直接産出されるように構成されている、請求項２に記載のガス発生健康機器。
【請求項４】
前記霧化／揮発性ガス混合タンクが、液体を霧化又は気化させて前記霧化ガスを生成するための振動子を更に備える、請求項２に記載のガス発生健康機器。
【請求項５】
前記液体が、精油、医薬液体、純水、及びそれらの組み合わせからなる群から選択される、請求項４に記載のガス発生健康機器。
【請求項６】
前記霧化／揮発性ガス混合タンクが、基本液体を更に含み、前記液体が、前記基本液体の上部に存在し、前記振動子が、前記基本液体の下方に設置されている、請求項５に記載のガス発生健康機器。
【請求項７】
前記ガス混合システムが、前記振動子をオンにするか又はオフにすることより、前記ろ過ガス又は前記健康ガスを選択的に産出するように構成されている、請求項４に記載のガス発生健康機器。
【請求項８】
水を電気分解して、水素及び酸素を含む混合ガスを生成するための電気分解デバイスと、
前記混合ガスを受容し、前記混合ガスを霧化ガスと混合して健康ガスを生成するための、前記電気分解デバイスに接続されているガス混合システムと、を備え、
前記霧化ガスが、水蒸気、霧化医薬液体、揮発性精油、又は前記水蒸気、前記霧化医薬液体、及び前記揮発性精油の任意の２つ又は３つの組み合わせである、
ガス発生健康機器。
【請求項９】
前記混合ガスの流速を検出し、前記電気分解デバイスから生成される前記混合ガスの量を制御するための、前記電気分解デバイスに接続されている流量計を更に備える、請求項８に記載のガス発生健康機器。
【請求項１０】
前記流量計が、前記電気分解デバイスに供給される電圧又は電流を遮断するように構成されている、請求項９に記載のガス発生健康機器。
【請求項１１】
前記ガス混合システムに流入する前記混合ガスの流速を制御するための、前記電気分解デバイスに接続されている流量制御器を更に備える、請求項８に記載のガス発生健康機器。
【請求項１２】
前記混合ガスに、空気、水蒸気、不活性ガス、酸素、及びそれらの組み合わせからなる群から選択されるガスを供給し、それにより前記混合ガス中の水素濃度を低減するための、前記電気分解デバイスと前記ガス混合システムとの間に接続されているガス供給エレメントを更に備える、請求項８に記載のガス発生健康機器。
【請求項１３】
前記健康ガス中の水素濃度が、２％〜６０％の範囲である、請求項１２に記載のガス発生健康機器。
【請求項１４】
前記電気分解デバイスが、２つの電極を備え、前記電極が交換可能な極性を有する、請求項８に記載のガス発生健康機器。
【請求項１５】
前記ガス混合システムが、液体を霧化又は気化させて前記霧化ガスを生成するための振動子を備える霧化／揮発性ガス混合タンクを備える、請求項８に記載のガス発生健康機器。
【請求項１６】
前記液体が、精油、医薬液体、純水、又は前記精油、前記医薬液体、及び前記純水の任意の２つ又は３つの組み合わせである、請求項１５に記載のガス発生健康機器。
【考案の詳細な説明】
【技術分野】
【０００１】
本考案は、ガス発生健康機器に関し、より詳しくは、水素及び酸素の混合ガスを生成することができるガス発生器に関する。
【背景技術】
【０００２】
いにしえの時代から現代に至るまで、人類は、常に生命の保全を最優先してきた。医療技術における幾多の進展が、疾患及び平均寿命の延長に使用されている。過去においては、ほとんどの医療的治療は受動的だった。言い換えれば、疾患は、人々が病気になった場合にのみ、外科手術、薬物治療、化学療法、及び放射線治療等を実施し、治療していた。
しかし、最近は、多くの医療関係者が、食物の健康効果の研究、及び遺伝的障害をスクリーニングして、病気になるリスクを能動的に減少させる等、疾患の予防に注目している。更に、平均寿命を延長させるために、スキンケア製品及び酸化防止食品／医薬品を含む、多くの老化防止技術が開発されている。  
【０００３】  近年、人々は、アロマセラピーの有用性に関心を寄せている。アロマセラピーは、人々をリラックスさせ、健康になったと感じさせる自然な手法である。精油は、芳香植物から抽出され、その後マッサージ、入浴、及び芳香付け等により人々と接触する媒体として作用する。この方法は、古代エジプトの時代から存在しており、今では欧州で非常に注目されている。（公序良俗違反につき、不掲載）という名のフランス人科学者が、アロマセラピーに関する自身の研究結果を科学雑誌に発表し、それが、多くの人々が関心を寄せる契機となった。彼の研究では、植物精油は、皮膚の深層組織に達することができ、その後血管により吸収され、血液循環により治療する必要のある器官に到達することが見出された。
【考案の概要】
【考案が解決しようとする課題】
【０００４】
したがって、本考案では、ガス発生健康機器が提案される。ガス発生器は、人々にリラックスしたと感じさせ、医学的治療に好適でもあるヘルスケア用の健康ガスを生成することができる。
【課題を解決するための手段】
【０００５】
本考案は、ガス発生健康機器を提案する。本考案の１つの態様によると、ガス発生健康機器は、使用者が吸入するための水素及び酸素の混合ガスを生成することができる。  
【０００６】
本考案の別の態様によると、ガス発生健康機器は、霧化医薬品、水蒸気、揮発性精油、又はそれらの組み合わせと混合された、使用者が吸入するための水素及び酸素を含む混合ガスを生成することができる。  
【０００７】
本考案の実施形態によると、水を電気分解して水素及び酸素の混合ガスを生成するために使用される電気分解デバイス、及び混合ガスを受容し、混合ガスを、水蒸気、霧化医薬品、揮発性精油、又はそれらの組み合わせからなる群から選択される霧化ガスと混合して、使用者が吸入するための健康ガスを生成するための、電気分解デバイスに接続されているガス混合システムを備えるガス発生健康機器が提供される。  
【０００８】
本考案の別の実施形態によると、ガス発生健康機器は、混合ガスにガスを供給して、混合ガス中の水素濃度を低減するための、電気分解デバイスとガス混合システムとの間に接続されているガス供給エレメントを更に含み、追加するガスは、空気、水蒸気、不活性ガス、又はそれらの組み合わせからなる群から選択される。  
【０００９】
本考案の別の実施形態によると、ガス発生健康機器は、酸素及び水素の混合ガスの流速を検出し、それにより電気分解デバイスからの混合ガスの生成量を制御するための、電気分解デバイスに接続されている流量計を更に備える。ガス混合システムは、混合ガスを受容してろ過ガスを生成するための、電気分解デバイスに接続されている加湿装置、及びろ過ガスを受容し、霧化／揮発性ガス及びろ過ガスを混合することにより健康ガスを生成するための、加湿装置に接続された霧化／揮発性ガス混合タンクを更に備える。  
【００１０】
本考案の別の実施形態によると、ガス発生健康機器は、加湿装置と霧化／揮発性ガス混合タンクとの間に接続された変換バルブを更に備え、変換バルブは、加湿装置と霧化／揮発性ガス混合タンクとを選択的に接続して、霧化ガスとろ過ガスが混合されて健康ガスが生成されるように、又は加湿装置を霧化／揮発性ガス混合タンクから選択的に接続遮断して、ろ過ガスが直接産出されるように構成されている。
また、加湿装置は、混合ガスをろ過のために導入してろ過ガスを生成する純水タンクを更に備える。霧化／揮発性ガス混合タンクは、液体を霧化又は気化させて、霧化ガスを生成するための振動子を更に備える。液体は、精油、医薬液体、純水、又はそれらの組み合わせからなる群から選択される。霧化ガスは、揮発性精油、霧化医薬液体、霧化水、又はそれらの組み合わせからなる群から選択される。
使用者は、振動子のＯＮ／ＯＦＦを切り替えることにより、健康ガスの組成を調節することができる。例えば、振動子のスイッチを入れると、霧化ガス及びろ過ガスを混合することにより健康ガスが生成されることになる。また、振動子のスイッチを切ると、健康ガスは、ろ過ガスのみを含むことになる。
【考案の効果】
【００１１】
本考案によると、ガス発生健康機器は、随意に霧化医薬液体、霧化水、又は揮発性精油と混合された、使用者が吸入するための、水素及び酸素の混合ガスを生成することができる。健康ガスに水素が存在すると、健康ガスを吸入した使用者の抗酸化活性及び老化防止活性が改善されるだろう。更に、健康ガスは、医師により処方される霧化医薬液体を含み、それによって、使用者による医薬液体の取り込みが促進される。更に、揮発性精油を含む健康ガスは、使用者がリラックスし、より健康になったと感じることを可能にするだろう。  
【００１２】
以下の図面を参照して、実施形態の幾つかを詳細に説明するが、類似の呼称は、類似の部材を示すものとする。
本考案の他の多くの利点及び特徴は、以下の詳細な説明及び添付の図面により、更に理解されるだろう。
【図面の簡単な説明】
【００１３】
【図１】本考案の実施形態によるガス発生健康機器の電気分解デバイスの模式図である。
【図２】本考案の実施形態によるガス発生健康機器のガス混合システムの模式図である。
【図３】本考案の別の実施形態によるガス発生健康機器のガス混合システムの模式図である。
【考案を実施するための形態】
【００１４】
開示された装置及び方法の下述の実施形態の詳細な説明は、例示の目的で本明細書に提示されており、図面に限定されるものではない。ある実施形態が提示され、詳細に説明されているが、添付の実用新案登録請求の範囲から逸脱せずに、種々の変更及び改変をなすことができることが理解されるべきである。
本考案の範囲は、構成要素の数、それらの材料、それらの形状、それらの相対的な配置等に一切限定されないものとし、本考案の実施形態の例として開示されているに過ぎない。
【００１５】
図１を参照されたい。そこには、本考案の好ましい実施形態によるガス発生健康機器の電気分解デバイスの模式図が示されている。本考案では、健康ガスは、少なくとも酸素及び水素を含む混合ガスである。幾つかの実施形態では、水素及び酸素の混合ガスは、水を電気分解することにより生成することができる。幾つかの実施形態では、電解デバイス１００は、図１に示されているように、電解水１０４を含有させるために使用される電解タンク１０２を備える。
電解水１０４は、主に純水であり、実際の必要性に応じて、随意に、水酸化ナトリウム、炭酸カルシウム、及び塩化ナトリウム等の電解質が添加される。電解タンク１０２には、２つの電極１０６Ａ、１０６Ｂが設けられており、１つは正極であり、他方は負極である。電極１０６Ａ、１０６Ｂは、水を電気分解するための電力を供給する電源（非表示）に接続されている。幾つかの実施形態では、電極１０６Ａ、１０６Ｂは、極性が固定されている。例えば、電極１０６Ａは陽極であり、電極１０６Ｂは陰極である。
他の実施形態では、電極１０６Ａ、１０６Ｂは、極性が交換可能である。例えば、ある瞬間には、電極１０６Ａが陽極であり、電極１０６Ｂが陰極であり、ある期間が過ぎると、電極１０６Ａが陰極に切り替わり、電極１０６Ｂが陽極に切り替わる。  
【００１６】
電解タンク１０２に含有されている電解水１０４は、電極１０６Ａ、１０６Ｂを通過する際に電気分解され始める。水素が、負極（すなわち、陰極）で生成され、酸素が、正極（陽極）で生成されることになる。更に、水素及び酸素は、電解タンク１０２の上部に放出され、その後水素及び酸素を含む混合ガス１０８になるだろう。混合ガス１０８は、将来の使用に備えてガスライン１１０を介して産出される。
他の実施形態では、負極で生成された水素、及び正極で生成された酸素は、別々のガスラインを介して電解タンク１０２から引き出され、その後混合されて混合ガス１０８を生成する。電解水１０４の電気分解により生成される水素対酸素の比率は、ほぼ２：１であるため、水素の割合は６６％を超えている場合がある。他の実施形態では、混合ガス１０８中の水素濃度を、例えば、２％〜４％の量等の、２％〜６０％の量に低減するように、追加ガスを、ガス供給エレメント１１２により混合ガス１０８に導入してもよい。更に、追加ガスは、空気、不活性ガス（窒素等）、酸素、水蒸気、又はそれらの組み合わせであってもよい。
他の実施形態では、流量計１１４が、ガスライン１１０に設置されており、ガス流速を検出するために使用される。電解タンク１０２に供給される電圧又は電流のレベル（電力）は、ガス流速に基づいて調節され、それにより、生成される混合ガス１０８の品質が制御される。その結果、混合ガス１０８が、下流デバイスに移送され、下流デバイスのガスと混合されると、水素濃度が低減される。上記で言及した用語「調節される」は、電解タンク１０２に供給される電圧又は電流が遮断される場合を包含することが意図されている（例えば、数値が高すぎるか又は低すぎる場合等、流量計１１４により異常値が検出された場合、電解タンク１０２に供給される電圧又は電流を遮断するように流量計１１４をプログラムすることができる）。
ガス供給エレメント１１２及び流量計１１４は、随意であることに留意されたい。言い換えれば、この２つのエレメント（すなわち、流量計１１４及びガス供給エレメント１１２）は、独立して、本明細書で開示されたガス発生器に組み込まれていてもよく、又は組み込まれていなくともよい。或いは、この２つのエレメントは、水素濃度を低減可能な他のタイプの装置と取り替えることができる。更に、電解タンク１０２は、電解タンク１０２の電解水１０４を補充するために使用される供給ライン１１６を更に含む。
他の実施形態では、ガスライン１１０の流量計１１４は、生成される混合ガス１０８の品質を制御する流量制御器と選択的に取り替えられている。その後、水素濃度は、下流デバイスのガス及び混合ガス１０８を混合することにより低減されることになる。  
【００１７】
図２を参照されたい。そこには、本考案の好ましい実施形態によるガス発生健康機器のガス混合システムの模式図が示されている。ガス混合システム２００は、混合ガス１０８を受容するためのライン２０２等を介して、図１の電気分解デバイス１００に接続されている。ガス混合システム２００は、水タンク又は純水タンク等の加湿装置２０４を備え、そこでは、混合ガス１０８が水又は純水２０６に導入され、混合ガス１０８がろ過されて、ろ過ガス２０８が生成される。
他の実施形態では、加湿装置２０４は、混合された混合ガス１０８中に水素及び酸素を残存させつつ、塩素等の、電気分解中に生成されるガス不純物を除去するために使用される。この加湿装置２０４を使用すると、加湿装置２０４中の水の助けを借りて、混合ガス１０８の温度を低下又は冷却することができることは明白である。無論、加湿装置２０４は、上記の実施形態で言及した純水タンクに限定されず、酸素及び水素以外の不純物及びガスを吸収することが可能な任意の他のデバイスであってもよい。
ガス混合システム２００は、ろ過ガス２０８及び霧化ガス２１２を混合することにより健康ガス２１４が生成される、ろ過ガス２０８を受容するための、加湿装置２０４に接続されている霧化／揮発性ガス混合タンク２１０を更に備える。霧化／揮発性ガス混合タンク２１０は、霧化／揮発性ガス混合タンク２１０の基本液体２１８及び液体２２０を霧化又は揮発させ、霧化ガス２１２を生成するように構成されている振動子２１６を更に備える。好ましくは、基本液体２１８は、純水である。液体２２０は、精油、医薬液体、純水、及びそれらの組み合わせからなる群から選択される。すなわち、液体２２０は、精油、医薬液体、純水、又は前述の液体の２つ若しくは３つの組み合わせであってもよい。このようにして生成される霧化ガス２１２は、好ましくは、揮発性精油、霧化医薬液体、霧化水蒸気、又は前述の揮発性／霧化物質の２つ若しくは３つの組み合わせである。  
【００１８】
図３を参照されたい。そこには、本考案の別の実施形態によるガス発生健康機器のガス混合システムの模式図が示されている。ガス発生健康機器は、加湿装置２０４及び霧化／揮発性ガス混合タンク２１０との間に接続されている変換バルブ２５０を更に備える。変換バルブ２５０は、加湿装置２０４を霧化／揮発性ガス混合タンク２１０に選択的に接続して、霧化ガス２１２及びろ過ガス２０８Ａを混合し、健康ガス２１４を生成するように構成されている。
変換バルブ２５０は、加湿装置２０４を霧化／揮発性ガス混合タンク２１０と選択的に接続遮断して、ろ過ガス２０８Ｂを健康ガスとして直接引き出すことができるように構成されている。言い換えれば、使用者は、変換バルブ２５０を切り替えることにより、揮発性精油、霧化医薬品、及び霧化水蒸気を導入するか否かを決定することができる。この構造配置により、使用者は、酸素及び水素の混合ガスのみを含む健康ガスを吸入することを選択することが可能になり、その点で図２の実施形態とは異なる。  
【００１９】
他の実施形態では、健康ガスの組成は、上述したものとは異なる他の手段により選択される。例えば、使用者は、振動子２１６をオン／オフすることにより、健康ガスの組成を選択することができる。詳しく説明すると、振動子２１６をオンにすると、霧化ガス２１２及びろ過ガス２０８を混合することにより、健康ガス２１４が生成される。振動子２１６をオフにすると、霧化ガスは生成されず、この場合、健康ガス２１４は、ろ過ガス２０８のみを含む。ガス混合システムの振動子のオン／オフスイッチを使用することにより、使用者は、様々なタイプの吸入用健康ガスを選択することが可能になる。  
【００２０】
上記の実施形態によると、健康ガス２１４は、水素及び酸素、並びに随意に揮発性精油、霧化医薬品、水蒸気、又はそれらの組み合わせを含む。研究によると、フリーラジカルとしても知られている不安定酸素種（Ｏ＋）が、人体内に存在することが見出されている。
フリーラジカルは、通常は、疾患、食事、環境、及びライフスタイルのため生成され、人体内のフリーラジカルは、吸入した水素と反応することにより水の形態で排出することができる。この方法で、人体内のフリーラジカルの量を低減することができ、それにより、身体条件を酸性状態からアルカリ状態へと回復させ、抗酸化、老化防止、及び美容健康効果を達成し、慢性疾患さえ撲滅される。加えて、臨床研究によると、霧化医薬液体は、その非霧化対応物よりも、より容易に人体に吸収される。すなわち、霧化医薬品は、その非霧化対応物と比較して、非常に低投与量で同じ治療効果を達成することができる。
更に、薬物の副作用は、低投与量の霧化医薬品を投与することにより低減することができる。したがって、健康ガス２１４は、優れた治療効果に結び付く場合がある。また、高濃度の酸素を長期間吸入する必要のある患者の場合、水素を吸入することにより、高濃度酸素による肺損傷を改善できることを示す臨床実験が存在する。そうした有用性の他に、健康ガス中の揮発性精油は、一般使用者の健康増進及びストレス軽減を支援することができる。
【００２１】
本考案の特徴及び趣旨は、上記で言及した例及び説明により、十分に説明されたものと考える。より重要なことは、本考案は、本明細書に記載の実施形態に限定されないということである。当業者であれば、本考案の教示を保持しつつ、デバイスに多数の変更及び改変をなすことができることを直ちに理解するだろう。したがって、上記の開示は、添付の実用新案登録請求の範囲の境界によってのみ限定されると解釈されるべきである。
【符号の説明】
【００２２】
１００    電解デバイス
１０２    電解タンク
１０４    電解水
１０６Ａ  電極
１０６Ｂ  電極
１０８    混合ガス
１１０    ガスライン
１１２    ガス供給エレメント
１１４    流量計
１１６    供給ライン
２００    ガス混合システム
２０２    ライン
２０４    加湿装置
２０６    水又は純水
２０８    ろ過ガス
２０８Ａ  ろ過ガス
２０８Ｂ  ろ過ガス
２１０    霧化／揮発性ガス混合タンク
２１２    霧化ガス
２１４    健康ガス
２１６    振動子
２１８    基本液体
２２０    液体
２５０    変換バルブ
【図１】
0003193761.tif 000003
【図２】
0003193761.tif 000004
【図３】
0003193761.tif 000005
【手続補正書】
【提出日】平成26年8月15日(2014.8.15)
【手続補正１】
【補正対象書類名】明細書
【補正対象項目名】０００３
【補正方法】変更
【補正の内容】
【０００３】
近年、人々は、アロマセラピーの有用性に関心を寄せている。アロマセラピーは、人々をリラックスさせ、健康になったと感じさせる自然な手法である。精油は、芳香植物から抽出され、その後マッサージ、入浴、及び芳香付け等により人々と接触する媒体として作用する。この方法は、古代エジプトの時代から存在しており、今では欧州で非常に注目されている。
或るフランス人科学者が、アロマセラピーに関する自身の研究結果を科学雑誌に発表し、それが、多くの人々が関心を寄せる契機となった。彼の研究では、植物精油は、皮膚の深層組織に達することができ、その後血管により吸収され、血液循環により治療する必要のある器官に到達することが見出された。